(57)【特許請求の範囲】
【請求項１】
便鉢部を有する便器本体と、前記便器本体内に配置された洗浄水タンクと、を備える便器装置であって、
前記洗浄水タンクの外面を覆うとともに前記便鉢部の溜水貯留部の外面に対向する領域を含むように設けられた防露材を備え、
前記防露材は、前記溜水貯留部との間の空間を封止するシール部を有する便器装置。
【請求項２】
前記シール部は、前記領域周りに形成され前記防露材の面部から突出した突出部により構成される請求項１に記載の便器装置。
【請求項３】
前記シール部が前記便器本体の対向当接部に押圧された状態で前記防露材で覆われた前記洗浄水タンクを前記便器本体に固定する固定部材を備える請求項１又は２に記載の便器装置。
【発明の詳細な説明】
【技術分野】
【０００１】
本発明は、便器装置に関する。
【背景技術】
【０００２】
便器装置の洗浄水タンク表面に結露が生じる現象は良く知られている。また、便器装置の便鉢部にも溜水が貯留されるため、便鉢部における溜水の貯留部位の外面にも結露が生じる。そのため、特に洗浄水タンクが便器本体内に配置される便器装置では、このような結露による水滴が床面に滴下すると、場合によっては床面に腐蝕が生じる原因にもなる。
【０００３】
そこで、洗浄水タンクが便器本体内に収納される構成の全体としてコンパクトに設計された便器装置においても、便器本体内の洗浄水タンク外表面全体と便鉢部における溜水の貯留部位の外面との双方に防露材を設けて結露を防止するようにした技術が提案されている（例えば、特許文献１参照）。
【先行技術文献】
【特許文献】
【０００４】
【特許文献１】特開２０１４−１１４６２９号公報
【発明の概要】
【発明が解決しようとする課題】
【０００５】
しかしながら、洗浄水タンクの表面や便鉢部の外面など結露が生じ得る箇所の全てに防露材を施すことは、防露材の使用量が増え、製造時における組み付け作業が煩雑となるため、コストアップの要因となっていた。
また、便器本体内に双方の防露材の設置スペースを確保する必要があり、便器の小型化の妨げとなっていた。
【０００６】
本発明は、上記の状況に鑑みてなされたものであり、結露防止機能を維持しつつ防露材の使用量や製造時の工数を低減させることができるとともに小型化が可能な便器装置を提供することを目的とする。
【課題を解決するための手段】
【０００７】
上記目的を達成するため、ここに次のような技術を提案する。
（１）便鉢部（例えば、後述する便鉢部１０１）を有する便器本体（例えば、後述する便器本体１００）と、前記便器本体内に配置された洗浄水タンク（例えば、後述する洗浄水タンク２００）と、を備える便器装置（例えば、後述する便器装置１）であって、前記洗浄水タンクの外面を覆うとともに前記便鉢部の溜水貯留部（例えば、後述する溜水貯留部１０６）の外面（例えば、後述する外面１１１）に対向する領域を含むように設けられた防露材（例えば、後述する防露材２１０）を備え、前記防露材は、前記溜水貯留部との間の空間（例えば、後述する空間３００）を封止するシール部（例えば、後述する周面シール部２１１と上面シール部２１２とを含むシール部２１３）を有する便器装置。
【０００８】
（２）前記シール部は、前記領域周りに形成され前記防露材の面部から突出した突出部により構成される（１）の便器装置。
【０００９】
（３）前記シール部が前記便器本体の対向当接部に押圧された状態で前記防露材で覆われた前記洗浄水タンクを前記便器本体に固定する固定部材（例えば、後述する左右の固定部材１２１Ｌ、１２１Ｒを含む固定部材１２１）を備える（１）又は（２）の便器装置。
【発明の効果】
【００１０】
本発明によれば、結露防止機能を維持しつつ防露材の使用量や製造時の工数を低減させることができるとともに小型化が可能な便器装置を具現することができる。
【図面の簡単な説明】
【００１１】
【図１】本発明の一実施形態に係る便器装置の側断面図である。
【図２】図１の便器装置の洗浄水タンクにおける防露材が被覆された状態での外観を示す図である。
【図３】図１の便器装置の底面側を示す図である。
【発明を実施するための形態】
【００１２】
以下、本発明の一実施形態について、図面を参照して詳しく説明する。
図１は、本発明の一実施形態に係る便器装置の側断面図である。
図１の便器装置１は、陶器製の外周壁部１１０で全周が囲まれて構成された便器本体１００の内側に便鉢部１０１を有している。更に、便器本体１００内に概略図２のような外形の洗浄水タンク２００を備えている。
【００１３】
図２は、図１の便器装置１の洗浄水タンク２００における防露材２１０が被覆された状態での外観を示す図である。防露材２１０は、例えば、発泡スチロール等の断熱材であり、適宜上下に分割された構造等を採り、洗浄水タンク２００の外殻の略全体をその外形に沿って包囲するように設けられている。従って、防露材２１０が被覆された洗浄水タンク２００は、その本体部（図２では直接には見えない）と略相似的な外形をなしている。
【００１４】
図１より容易に理解される通り、本例の洗浄水タンク２００は、便器本体１００内部における便鉢部１０１及び後述する流路や配管を除く空間の所定部分を占めるように配置されて、その大部分が便器本体１００内に収納されている。本例の便器装置１では、一般にはデッドスペースとなってしまう上述のような空間部分を洗浄水タンク２００の収納空間として有効に利用することによって、全体としてコンパクトに構成されている。
【００１５】
便鉢部１０１の後方側（図１では左側）には便器排水路１０２が連なって形成されている。この便器排水路１０２は、その入口の流路となる部分であって便鉢部１０１の底部側から上昇する上昇流路１０３と、この上昇流路１０３の頂上部に連なって下流側に下降する下降流路１０４と含む。下降流路１０４は汚物を下水に流す排水管１０５に連なっている。
便鉢部１０１には、その底部から上昇流路１０３に連なる凹部に溜水（封水）を貯留しておくための溜水貯留部１０６が形成されている。溜水貯留部１０６には封水面１０７までの一定量の封水が貯留される。
便鉢部１０１には、その上端の周縁内側にリム通水路１０８が形成されている。また、便鉢部１０１の下面における溜水貯留部１０６の最深部よりも前方の領域と、外周壁部１１０の左右両側面壁における前縁側の裾部とを繋ぐようにして補強壁部１０９が一体に形成されている。
即ち、この補強壁部１０９も外周壁部１１０や便鉢部１０１とともに便器本体１００を構成している。
【００１６】
ここで、図２を参照して、洗浄水タンク２００と防露材２１０の構成について更に詳述する。
洗浄水タンク２００は、既述の図１において断面視される下側タンク部２２０と、図２において下側タンク部２２０の後方で上下に延びた上側タンク部２３０とが内部で連通するようにして構成されている。
下側タンク部２２０の上方中央部には、溜水貯留部１０６（図１）の下側に隆起した外面１１１に対応して凹陥した凹部２２１が形成されている。
【００１７】
既述のように、洗浄水タンク２００の防露材２１０は、洗浄水タンク２００の外面を略全面的に覆っている。従って、便鉢部１０１の溜水貯留部１０６に対向する領域の一部であるこの凹部２２１にも、その外面に防露材２１０が設けられている。
【００１８】
本例では特に、防露材２１０には、周面シール部２１１が形成されている。図示のように、周面シール部２１１は、下側タンク部２２０の周面の略前半部分全体に既述の凹部２２１の最深部に相当する高さ位置を水平にめぐらせるように、周囲の防露材２１０の面部から突出して形成されている。
また、防露材２１０には、下側タンク部２２０の凹部２２１よりも後方の左右両側面及び上面に沿って一条の隆起が連なるようにして、周囲の防露材２１０の面部から突出する上面シール部２１２が形成されている。
【００１９】
周面シール部２１１及び上面シール部２１２は、何れも、例えば、スポンジのような弾性体で構成される。これら周面シール部２１１及び上面シール部２１２は、便鉢部１０１の溜水貯留部１０６外面１１１側に対向する領域周りに形成され防露材２１０の面部から突出した突出部より構成されたシール部２１３を成している。このシール部２１３によって空間３００が封止される。こため、防露材２１０が溜水貯留部１０６の外面側の空間３００を密閉するに際して、洗浄水タンク２００の外面や溜水貯留部１０６の外面側の寸法誤差を十分に吸収して、隙間なく空間３００を封止することができる。この結果結露防止効果が十全なものとなる。
【００２０】
空間３００は、より詳細には、下側タンク部２２０上面に被覆された防露材２１０と溜水貯留部１０６の外面１１１との間の隙間部分を含む空間である。
シール部２１３（周面シール部２１１及び上面シール部２１２）は、それらが対向当接する対向当接部に、弾発的に当接するように固定されている。
即ち、周面シール部２１１が、補強壁部１０９の該当部位である対向当接部に弾発的に当接し、且つ、上面シール部２１２が、排水管１０５の外側や便鉢部１０１の外側、より具体的には例えば本実施形態のように溜水貯留部１０６の外面１１１側の該当部位である対向当接部に弾発的に当接する。
【００２１】
従って、空間３００は、周面シール部２１１及び上面シール部２１２によって溜水貯留部１０６の外面１１１側の空間の外気と連通する隙間部分がシール部２１３（周面シール部２１１及び上面シール部２１２）によって封止される。この結果、溜水貯留部１０６の外面側の空間は密閉されて外気が流入せず、溜水貯留部１０６の外面温度が低い場合でも、持続的に結露が生じることがない。即ち、溜水貯留部１０６の外面１１１には、別途の防露材を施さなくとも、結露による問題が生じない。
【００２２】
これを換言すれば、本実施形態の便器装置１では、洗浄水タンク２００側の防露材２１０を、従来は溜水貯留部１０６の外面１１１側にも設けられていた防露材の機能を得るについても兼用することができる。従って、結露による問題が生じないことに加え、防露材の使用量や製造時の工数を低減できることから、コストを低減することができる。また、小型をはかるに有利である。
【００２３】
上述のようにシール部２１３をそれらの対向当接面に弾発的に固定するための構成について、図３を参照して説明する。
図３は、図１の便器装置１の底面側を示す図である。
図３において、洗浄水タンク２００は、その底面２４０の前方部位が既述の補強壁部１０９（図１）の前方下部に内側に向けて突出するように取付けられた支持部材１２０により支持され、且つ、その底面２４０の後方部位が左右の固定部材１２１Ｌ、１２１Ｒによって支承されるようにして便器本体１００に取付けられている。
【００２４】
左右の固定部材１２１Ｌ、１２１Ｒは、便器本体１００の外周壁部１１０後方下部１１０ａの左右２箇所に、外周壁部１１０の内側から前方に向けて突出するように取付けられている。この取付は、外周壁部１１０の対応部位に設けた挿通孔（不図示）を通してタッピンネジなどのネジ１２２を用いて、片持ち支持で固定されている。
この固定に際しての操作について更に説明する。ここでは説明の便宜上、上下等の方向については、図示の姿勢で見た場合の方向で表記するが、実際の作業では、上下を反転させる等、適宜作業能率を考慮した姿勢がとられる場合もある。
【００２５】
先ず、洗浄水タンク２００を便器本体１００の下側開放部から上方に持ち上げ、適切に傾斜させて、その底面２４０の前方部位を支持部材１２０に引っ掛けておき、この状態で、洗浄水タンク２００を便器本体１００に下方から押し込む。このように押し込むと、洗浄水タンク２００の防露材２１０におけるシール部２１３（周面シール部２１１及び上面シール部２１２）が、それぞれ対応する対向当接部に当接する。このとき、例えば、スポンジなどの弾性部材であるシール部２１３が撓んで弾発的に対向当接部に当接するように、洗浄水タンク２００に対する押し込み力を作用させつつ、左右の固定部材１２１Ｌ、１２１Ｒをそれぞれネジ１２２で固定する。
【００２６】
このため、左右の固定部材１２１Ｌ、１２１Ｒによって、防露材２１０のシール部２１３（周面シール部２１１及び上面シール部２１２）がその当接部位に弾発的に当接した状態が維持されたままで、洗浄水タンク２００が便器本体１００に固定される。
換言すれば、固定部材１２１（左右の固定部材１２１Ｌ、１２１Ｒ）は、シール部２１３が便器本体１００の対向当接部に押圧された状態で防露材２１０で覆われた洗浄水タンク２００を便器本体１００に固定している。
従って、洗浄水タンク２００の下側タンク部２２０上面に被着された防露材２１０と便鉢部１０１の溜水貯留部１０６の外面１１１との間の隙間部分を含む空間３００は、防露材２１０の上述のシール部２１３によって高度に気密状態が保持される。
【００２７】
このため、空間３００は密閉されて外気が流入せず、溜水貯留部１０６の外面１１１の温度が低い場合でも、持続的に結露が生じることがない。即ち、溜水貯留部１０６の外面１１１には、別途の防露材を施さなくとも、結露による問題が生じない。
【００２８】
尚、図１のように、本例の便器本体１００における外周壁部１１０の後方側部位には、例えば、弁機構等を含む機能部と外部の接続先とを接続する接続管１３０を挿通させるための開口１３１が貫設されている。また、接続管１３０を開口１３１に挿通させる作業を容易にするため、接続管１３０を開口１３１に向けてガイドするガイド部１４０が設けられている。
【００２９】
上述した実施形態の便器装置１では、洗浄水タンク２００の外面を覆う防露材２１０のシール部２１３（周面シール部２１１及び上面シール部２１２）によって、溜水貯留部１０６の外面１１１側の空間３００周辺の外気と連通する隙間部分が封止される。この結果、溜水貯留部１０６の外面１１１側の空間３００は密閉されて外気が流入せず、溜水貯留部１０６の外面温度が低い場合でも、持続的に結露が生じることがない。即ち、溜水貯留部１０６の外面１１１には、別途の防露材を施さなくとも、結露による問題が生じない。また、防露材の使用量や製造時の工数を低減できることから、コストを低減することができ、更に、小型が可能である。
換言すれば、洗浄水タンク２００側の防露材２１０を、従来は溜水貯留部１０６の外面１１１側にも設けられていた防露材の機能を得るについても兼用することができるため、上述の効果を得ることができる。
【００３０】
また、便器装置１において特に、シール部２１３（周面シール部２１１及び上面シール部２１２）は、便鉢部１０１の溜水貯留部１０６外面１１１側に対向する領域周りに形成され防露材２１０の面部から突出した突出部により構成されるため、防露材２１０が溜水貯留部１０６の外面１１１側の空間３００を密閉するに際して、洗浄水タンク２００の外面や溜水貯留部１０６の外面側の寸法誤差を十分に吸収して、隙間なく空間を封止することができる。この結果、結露防止効果が十全なものとなる。
【００３１】
更に、便器装置１において特に、固定部材１２１（左右の固定部材１２１Ｌ、１２１Ｒ）によって、シール部２１３（周面シール部２１１及び上面シール部２１２）が便器本体１００の対向当接部に押圧された状態で防露材２１０で覆われた洗浄水タンク２００が便器本体に固定される。このため、防露材２１０のシール部２１３（周面シール部２１１及び上面シール部２１２）は常時弾発力をもって溜水貯留部１０６の外面側の空間３００を封止するため、外面側の空間３００の気密状態が高度に維持される。この結果、結露防止効果が一層高められる。
【００３２】
なお、本発明は上記実施形態に限定されるものではなく、本発明の目的を達成できる範囲内での変形、改良等は本発明に含まれる。
上記実施形態では、防露材２１０のシール部２１３は、周面シール部２１１が補強壁部１０９側の対向当接部に弾発的に当接し、且つ、上面シール部２１２が溜水貯留部１０６の外面１１１側の対向当接部に弾発的に当接するように構成したが、これは次のように変形することもできる。即ち、洗浄水タンク２００の下側タンク部２２０の凹部２２１の上方周縁部から内側に突出するように環状のシール部を形成し、このような環状のシール部によって溜水貯留部１０６の外面１１１側の対向当接部と環状に当接を得て隙間を封止し、既述の外面側の空間３００を密閉するようにしてもよい。
【００３３】
また、上記実施形態では、防露材２１０のシール部２１３は、防露材２１０の面部から突出した突出部により構成されていたが、この部分は次のように変形することもできる。即ち、シール部をこのように敢えて突出した形状とせず、防露材２１０全体を一定の弾性を有する弾性材により構成することによって、便鉢部１０１の溜水貯留部１０６外面１１１側に、少なくともその周縁部を密着させることによって、既述の突出したシール部の機能と略同様に、外面側の空間３００を封止するようにしてもよい。この場合は、敢えて既述のように周囲の面部から突出したスポンジ材のシール部を設ける必要がなくなる。
【符号の説明】
【００３４】
１…便器装置
１００…便器本体
１０１…便鉢部
１０６…溜水貯留部
１１１…外面
１２１Ｌ、１２１Ｒ…固定部材
２００…洗浄水タンク
２１０…防露材
２１１…周面シール部
２１２…上面シール部
２１３…シール部
３００…空間
【図１】
0006466299.tif 000002
【図２】
0006466299.tif 000003
【図３】
0006466299.tif 000004